(57)【要約】【課題】本発明が解決しようとする課題はねぎの出荷に際して、ねぎの根を洗浄する方法を少量の水を用いて霧化しながら空気と共に送気しながら空気噴射による洗浄を行うもので、空気噴射による騒音を排気ダクトで吸音し騒音値を大幅に低減するとともに霧化送気した水を回収し濾過して循環使用することができるねぎ根洗浄機である。同時に洗浄した１握りのねぎを手放すことなく結束し、出荷作業の効率化を図るねぎ根洗浄機である。【選択図】図１
2004283137.tif 000002
【特許請求の範囲】
【請求項１】
複数の空気ノズルを有し、圧縮空気を噴射して、ねぎ根の汚れを洗浄する方法をのねぎ洗浄機において、複数の空気ノズルのうち１つまたは２つの空気ノズルに水吸引パイプを敷設し、ベルヌーイの定理の作用を用いて霧化水を噴出させることを特長とするねぎ根洗浄機。
【請求項２】
空気ノズルからの空気噴射音を吸音、消音する排気筒を設けたことを特長とするねぎ根洗浄機
【請求項３】
洗浄に供した１握りのねぎを手放すことなく結束できることを特長とするねぎ根洗浄機
【発明の詳細な説明】
【０００１】
【発明の属する分野】
本発明はねぎ根の洗浄機に関する。
【０００２】
【従来の技術】
小規模の生産者は水槽、河川等に浸し、束子を用いて洗浄を行っている。
年間を通じ、ある程度の生産量を維持できる生産者は機械式ねぎ洗浄機を利用しているが、方式は回転たわし、水噴射、空気噴射などいくつかの方式がある。
（例えば、特許文献１〜３参照）
【特表２００２−５０８７００】汚れ面の浄化方法と浄化装置
【特開２００２−０８５００６】焼きねぎの製造方法
【開平１１−０６９９１３】カイワレ大根の殺菌方法及び生鮮野菜の栽培方法
【０００３】
【発明が解決しようとする課題】
束子による手洗浄は対象外として、機械式洗浄を調査すると大量に洗浄水を使用する汎用的機械的なもの又は高圧水を用いてねぎの皮むき洗浄するもの、難聴防止のために耳栓を付けて作業することが必要な程度に騒音レベルの高いものなどで、かつ、出荷のためにはさらに別途ねぎの結束作業が必要とされている。
【０００４】
本発明が解決しようとする課題はねぎの出荷に際して、ねぎの根を洗浄する方法を少量の水を用いて霧化しながら空気と共に送気しながら空気噴射による洗浄を行うもので、空気噴射による騒音を排気ダクトで吸音し騒音値を大幅に低減するとともに霧化送水した水を回収し濾過して循環使用することができるねぎ根洗浄機を提供するものである。
同時に洗浄した１握りのねぎを手放すことなく結束し、出荷作業の効率化を図るねぎ根洗浄機を提供することである。
【０００５】
【課題を解決するための手段】
本発明では、排気消音筒の中に複数の空気ノズルが設けてあり、１握りのねぎの株を空気ノズルの先端に挿入すると、ねぎの根又は握っている手（以下対象物という）を検出し検知器が作動し、電磁弁を開いて圧縮空気を噴出し、ねぎの根を空気で清掃するようになっている。
また、ねぎの根を空気ノズルの先端から移動又は引き出すと、これを対象物検知器が検知し、電磁弁を閉じて清掃空気を遮断する。
【０００６】
複数の空気ノズルの１つ又は２つには、水の吸引パイプが接続されており
ベルヌーイの定理により霧吹きができるようになっている。
空気ノズルから噴出される空気音は騒音値が高いため、消音機能がある排気筒が設けてあり、５〜７ｄＢの音量を低減できるようになっている。
【０００７】
排気筒には複数の案内板が設けられており、ねぎ根から離脱した土、ひげ根などの塵芥が霧化水とともに霧化水回収タンクに回収されるようになっている。
回収された水は霧化水回収タンク内に設けられた濾過器を経て水タンクに循環されリサイクル使用される。
【０００８】
とりわけ、この霧化水回収タンクはダクト内の騒音を取り除くサイドブランチの働きをさせることができる。
【０００９】
このようにして土、ひげ根などの塵芥が分離された空気は排気筒先端から排気される。したがって排気筒には集塵袋等を設ける必要はなくなる。
【００１０】
また、洗浄した１握りのねぎは側方に設けられた結束器に挿入することで直ちに１束に結束できるようになっている。
【００１１】
【実施例】
以下、本発明の実施例を図面に基づいて説明する。
【００１２】
第１図はねぎ根洗浄機の１部切欠面を含む立面を図示したものである。
先ず、第１図に基づいての作用を説明すると１握りのねぎ（小ねぎで１０本程度）を手で持って対象物検知機付近に挿入すると同検知器が働き空気ノズルから圧縮空気を噴出し、ねぎの洗浄部分（根）に吹き付けられ、ねぎに付着した汚れを吹き飛ばす、同時に空気ノズルのうち１つまたは２つの空気ノズルに接続された吸引パイプを通して、少量の水が霧化した状態で吹き付けられ、ねぎ根の汚れが洗浄されるとともに、洗浄部の過剰な乾燥を防ぎ、鮮度維持に役立つ。
【００１３】
この空気ノズルは排気筒内に収められており、かつ、排気筒は内面に吸音板が張られており空気ノズルから噴出する排気音を吸収でき消音効果を高める。
さらに、排気筒には内部に案内板が設けてあり、落とされた土、ねぎのひげ根などの塵芥と霧化水は霧化水回収タンクに回収するようになっている。
このようにして空気だけが排気筒先端の排気口から出て行く。
【００１４】
排気口は金網状のフィルターが取り付けられているので、大きな固形物は排出されない仕組みとなっている。
【００１５】
霧化水回収タンクに回収される塵芥のうち土等は沈殿し、ひげ根はタンク内で浮遊し１部分離が行われるが、同タンクに設けられた濾過器によって水は濾過されて、連結管を通して水タンクに戻りリサイクル使用されるようになっている。
【００１６】
同時に霧化水回収タンクはサイドブランチとして、消音効果を発揮する。
第１図の実施例では排気筒の内面に吸音材を用いているが、排気筒をマフラー方式によって消音することも可能で、第５図はマフラー方式を用いた吸音筒を第２実施例として示したものである。
【００１７】
第４図は実施例における系統図を示したものであり、小型空気圧縮機を含めた機器構成を示した。
また、第２図、第３図に示すように排気筒側面には結束器が配置されており、洗浄を終えたほぼ１束分のねぎは直ちに結束されるものである。
【００１８】
本発明では結束に際し、ねぎの計量を省いてあるが作業者の目測で十分な程度に１束のサイズを揃えられること及び通常の単位が１束として扱われることを考慮してコストパフォーマンスを優先したものとなっている。
【００１９】
【発明の効果】
本発明により騒音量を５〜７ｄＢ低減することを可能にし、しかも洗浄水をリサイクル使用することで洗浄水の使用を軽減したねぎ根洗浄機を提供できる。
また、本発明により洗浄から結束まで１回の作業工程で行うことができるため、中規模ねぎ生産者に効果的なねぎの出荷調整が可能なねぎ根洗浄機を提供できる。
【図面の簡単な説明】
【図１】本発明の第１実施例に係わるねぎ根洗浄機の立面図である。
【図２】本発明の第１実施例に係わるねぎ根洗浄機の平面図である。
【図３】本発明の第１実施例に係わるねぎ根洗浄機の側面図である。
【図４】本発明の第１実施例に係わるねぎ根洗浄機の系統の説明図である。
【図５】本発明の第２実施例に係わるねぎ根洗浄機の排気筒図である。
【符号の説明】
１排気筒
１１案内板
１２吸音材
１３排気口
１４  フィルター
２空気ノズル
２１空気管
３対象物検出器
４水タンク
４１吸引パイプ
５霧化水回収タンク
５１濾過器
５２連結管
６結束器
７空気圧縮機
７１電磁弁
【図１】
2004283137.tif 000003
【図２】
2004283137.tif 000004
【図３】
2004283137.tif 000005
【図４】
2004283137.tif 000006
【図５】
2004283137.tif 000007